(57)【要約】【課題】封入体に封入された封入物を非接触および非開封で検査する技術を提供する。【解決手段】封入物検査装置１は、テラヘルツ波を用いて封入物９３を検査する装置である。封入物検査装置１は、封入物９３が封入されている封入体９１に向けて、テラヘルツ波を照射する電磁波照射部１３と、テラヘルツ波を反射または吸収するインクで封入物９３に記録された封入物９３に関する第一情報コード９５の部分を、透過または反射したテラヘルツ波を検出する透過波検出部２３と、透過波検出部２３による検出結果に基づき、第一情報コード９５に含まれるバーコード９５Ｂを読み取るバーコード認識部７２を備えている。【選択図】図１
2013186104.tif 000002
【特許請求の範囲】
【請求項１】
電磁波を用いて封入物を検査する封入物検査装置であって、
前記封入物が封入されている封入体に向けて、電磁波を照射する電磁波照射部と、
前記電磁波を反射または吸収するインクで前記封入物に記録された前記封入物に関する第一情報コードの部分を、透過または反射した前記電磁波を検出する第一検出部と、
前記第一検出部による検出結果に基づき、前記第一情報コードを読み取る第一読取部と、
を備えている、封入物検査装置。
【請求項２】
請求項１記載の封入物検査装置において、
前記封入体に記録されている、前記封入物に関する第二情報コードを読み取る第二読取部、
をさらに備えている、封入物検査装置。
【請求項３】
請求項２に記載の封入物検査装置において、
前記第一情報コードが示す情報と、前記第二情報コードが示す情報とを比較する比較部、
をさらに備えている、封入物検査装置。
【請求項４】
請求項１から３までいずれか１項に記載の封入物検査装置において、
前記第一読取部によって読み取られた第一情報に基づいて、前記封入体または前記封入体に取り付けられる取付部材に、前記封入物に関連する情報を記録する記録部、
をさらに備えている、封入物検査装置。
【請求項５】
電磁波を用いて封入物を検査する封入物検査方法であって、
(a) 前記封入物が封入されている封入体に向けて、電磁波を照射するステップと、
(b) 前記電磁波を反射または吸収するインクで前記封入物に記録されており、前記封入物に関する第一情報コードの部分を、透過または反射した前記電磁波を検出するステップと、
(c) 前記(b)工程における検出結果に基づき、前記第一情報コードを読み取るステップと、
を含んでいる、封入物検査方法。
【請求項６】
請求項５に記載の封入物検査方法において、
(d) 前記封入体に記録されている、前記封入物に関する第二情報コードを読み取るステップ、
をさらに含んでいる、封入物検査方法。
【発明の詳細な説明】
【技術分野】
【０００１】
この発明は、封入体に封入された封入物を検査する技術に関する。
【背景技術】
【０００２】
近年、購買履歴情報などの個人情報を元に、購買傾向の分析が行われ、個人に最適な情報がダイレクト広告などのバリアブル印刷物として送付されている。また、最近では、月次の請求書や利用明細書に、取引情報とプロモーション広告とを組み合わせて印刷し郵送する、トランスプロモ（Transaction Mail Promotion）が行われている。
【０００３】
ところで、請求書やダイレクトメールなどの印刷物には、個人情報が含まれている。このため、封筒に記載された宛先と、印刷物が送り届けられるべき送り先が異なるという誤封入は許されない。そこで、一般的には、封筒に窓部が設けられており、封筒に封入される封入物自体に宛先が印字される。そして封筒の該窓から封入物に印字された宛先が確認できるように印刷物が封入される。
【先行技術文献】
【特許文献】
【０００４】
【特許文献１】特開２００７−３４８５号公報
【発明の概要】
【発明が解決しようとする課題】
【０００５】
しかしながら、窓部つき封筒の場合、窓部から内部を覗き見ることが可能であるため、封入物のうち窓部から見ることのできる部分に関しては情報を印刷することができないという問題があった。また、窓部には、破れにくい素材（例えば、塩ビやセロファンなどのプラスチックまたはグラシン紙などの半透明紙）で形成される必要があり、封筒コストが通常よりも高コストとなっていた。
【０００６】
また、窓部にプラスチックを適用した場合、リサイクルの観点から、封筒の廃棄時に分別が必要とされる場合がある。また、グラシン紙の場合にも、基本的にリサイクルに向かないため、リサイクル効率の観点から分別が必要とされる場合がある。また、グラシン紙は湿気に弱いという問題もある。
【０００７】
ここで、窓部つき封筒を用いず、かつ、誤封入を確実に防ぐためには、封筒などの封入体に封入された封入物を、非開封で特定する技術が必要である。例えば特許文献１では、Ｘ線を用いて封書内に封入された封入物を特定する技術が開示されている。しかしながらこの場合、Ｘ線画像に写った封入物の形状から封入物の特定が行われるため、各封入物が特徴的な形状を有している必要があるという制約があった。したがって、上述した請求書またはダイレクトメールなどの封入物の検査に、特許文献１の検査を適用することは困難である。
【０００８】
本発明は、上記課題に鑑みなされたものであり、封入体に封入された封入物を非接触および非開封で検査する技術を提供することを目的とする。
【課題を解決するための手段】
【０００９】
上記の課題を解決するため、第１の態様は、電磁波を用いて封入物を検査する封入物検査装置であって、前記封入物が封入されている封入体に向けて、電磁波を照射する電磁波照射部と、前記電磁波を反射または吸収するインクで前記封入物に記録された前記封入物に関する第一情報コードの部分を、透過または反射した前記電磁波を検出する第一検出部と、前記第一検出部による検出結果に基づき、前記第一情報コードを読み取る第一読取部とを備えている。
【００１０】
また、第２の態様は、第１の態様に係る封入物検査装置において、前記封入体に記録されている、前記封入物に関する第二情報コードを読み取る第二読取部、をさらに備えている。
【００１１】
また、第３の態様は、第２の態様に係る封入物検査装置において、前記第一情報コードが示す情報と、前記第二情報コードが示す情報とを比較する比較部、をさらに備えている。
【００１２】
また、第４の態様は、第１から第３までの態様のいずれか１態様に係る封入物検査装置において、前記第一読取部によって読み取られた第一情報に基づいて、前記封入体または前記封入体に取り付けられる取付部材に、前記封入物に関連する情報を記録する記録部、をさらに備えている。
【００１３】
また、第５の態様は、電磁波を用いて封入物を検査する封入物検査方法であって、(a)前記封入物が封入されている封入体に向けて、電磁波を照射するステップと、(b)前記電磁波を反射または吸収するインクで前記封入物に記録されており、前記封入物に関する第一情報コードの部分を、透過または反射した前記電磁波を検出するステップと、(c)前記(b)工程における検出結果に基づき、前記第一情報コードを読み取るステップとを含んでいる。
【００１４】
また、第６の態様は、第５の態様に係る封入物検査方法において、(d)前記封入体に記録されている、前記封入物に関する第二情報コードを読み取るステップ、をさらに含んでいる。
【発明の効果】
【００１５】
第１から第６の態様によると、電磁波によって封入物に記録された第１情報を電磁波を用いて読み取ることができる。これにより、非接触かつ非開封で封入物に関する情報を得ることができる。
【００１６】
また、第２および第６の態様によると、封入体に記録された第二情報コードを読み取ることで、封入体を開封せずに封入物に関する情報を取得できる。
【００１７】
また、第３の態様に係る封入物検査装置によると、第一情報コードと第二情報コードとが示す情報が、同一の封入物に関するものか検出できる。これにより、封入体の内部に正しい封入物が封入されているか検査することができる。
【００１８】
また、第４の態様によると、第一情報コードから取得される封入物に対応した情報を、封入体または封入体に取り付けられる取付部材に記録できる。したがって、誤封入の発生を確実に抑制することができる。
【図面の簡単な説明】
【００１９】
【図１】第１実施形態に係る封入物検査装置の概略構成図である。
【図２】封入物に関するページデータの一例を示す概念図である。
【図３】第一情報コードの一例を示す図である。
【図４】テラヘルツ波を吸収する特色インクのテラヘルツ波透過特性示す図である。
【図５】封入物が封入体に封入されるまでの流れ図である。
【図６】封入物検査装置による封入物検査の流れ図である。
【図７】第２実施形態に係る封入体への第二情報コードの記録の流れ図である。
【発明を実施するための形態】
【００２０】
＜１．  第１実施形態＞
＜１．１．構成および機能＞
図１は、第１実施形態に係る封入物検査装置１の概略構成図である。なお、図１および以降の各図においては、理解容易のため、必要に応じて各部の寸法や数が誇張または簡略化されて図示されている場合がある。
【００２１】
封入物検査装置１は、封入体９１の内部に収納された封入物９３を検査したり、封入体９１に記録された情報と封入物９３の内容との整合を検査したりする装置である。封入物検査装置１は、封入体９１にテラヘルツ領域の電磁波（周波数が０．０１ＴＨｚ〜１００ＴＨｚであり、より好ましくは、０．１ＴＨｚ〜３０ＴＨｚ、さらに好ましくは０．１ＴＨｚ〜１０ＴＨｚの電磁波。以下、「テラヘルツ波」とも称する。）を照射することで、封入物９３に記録された情報コード（第二情報コード９７）を読み取り、また、可視光を用いて封入体９１に記録された情報コード（第一情報コード９５）を読み取る。
【００２２】
封入体９１は、紙製（植物繊維またはその他の繊維を膠着させて製造したもの）の他、ビニール製、プラスチック製、織布または不織布製など、テラヘルツ波を比較的透過しやすい素材で形成されていることが好適である。封入物９３は封入体９１に封入可能なものであれば特に限定されるものではない。ただし、封入物検査装置１は、請求書やダイレクトメールなどのように、各封入体９１（例えば封筒）の外観はほぼ同一であるが、封入体９１毎に記録される情報（例えば宛先）が異なる場合や、封入物９３の内容（例えば請求内容や広告）が封入体９１毎に異なる場合において、封入物９３を特定する検査に好適である。以下の説明においては、封入体９１が封筒、封入物９３が各種広告などのコンテンツが印刷された印刷物であるものとして説明する。
【００２３】
封入物９３には、文字列、図形、またはこれらの組合せで構成される第一情報コード９５が記録されている。第一情報コード９５は、封入物９３に関する情報であり、具体的には、封入物９３が発送されるべき宛先を示す情報（後述するバーコード９５Ｂ）、印刷されたコンテンツに関する情報（後述するコンテンツ番号情報９５Ｃ）およびページ数に関する情報（後述するページ数情報９５Ｐ）となっている。ただし、第一情報コード９５に、その他の情報を示す図形または文字列などが含まれていてもよい。
【００２４】
また、封入体９１には、第二情報コード９７が記録されている。第二情報コード９７は、封入物９３に関連する情報であり、本実施形態では、封入物９３の宛先（宛名および住所）を示す文字列で構成されている。なお、第二情報コード９７が、宛先以外の情報を示すようにしてもよい。
【００２５】
第一情報コード９５は、テラヘルツ波を吸収または反射するインク（以下、特色インクと称する。）によって記録されている。ここで、「吸収する」または「反射する」とは、全吸収または全反射する場合だけに限定されず、一部吸収または一部反射する場合も含む。テラヘルツ波を吸収するインクは、例えば一般的なインク材に炭酸カルシウムまたは黒鉛などを所要の割合いで混合することにより調整可能である。また、テラヘルツ波を反射するインクは、例えば一般的なインク材に金属材料（鉄、銀、アルミニウムなど）を混合することにより調整可能である。
【００２６】
第二情報コード９７は、一般的な墨インクで印刷されている。なお、後述するように、第二情報コード９７は、可視光を用いて光学的に読み取られる。このため、可視光による読み取り精度を向上させるために、第二情報コード９７は、背景色（例えば、封入体９１の地色）との関係で、コントラストが明瞭となる色のインクで記録されていることが好ましい。また、第二情報コード９７は、封入体９１に直接記録（印字）されていてもよいが、第二情報コード９７が記録された印刷用シールなどが、封入体９１に貼付されるようにしてもよい。印刷用シールは、封入体９１に取り付けられる取付部材の一例である。
【００２７】
図１に示されるように、封入物検査装置１は、可視光照射部１１、電磁波照射部１３、可視光検出部２１、透過波検出部２３、テーブル３１、モータ３３および制御部７０を備えている。
【００２８】
可視光照射部１１は、ハロゲンランプなどの光源から出射される可視光（例えば、波長が約３６０ｎｍ〜約８００ｎｍの電磁波）をテーブル３１の上面に載置された封入体９１の表面に照射する。また、可視光検出部２１は、ＣＣＤなどのイメージセンサで構成されており、封入体９１の表面にて反射した可視光を検出する。
【００２９】
なお、図１に示される例では、可視光が、封入体９１の表面に対して斜めに入射するように照射されている。しかしながら、封入体９１に対して垂直に可視光が照射されるようにしてもよい。つまり、入射する可視光の光軸と、反射した可視光の光軸とが、ほぼ一致する光路を通るように、可視光照射部１１および可視光検出部２１が配置されてもよい。
【００３０】
電磁波照射部１３は、テーブル３１の上面に載置されている封入体９１に向けて、テラヘルツ波を照射する。電磁波照射部１３から放射されるテラヘルツ波は、パルス波、連続波のうちどちらでもよい。パルス波のテラヘルツ波は、光伝導スイッチ（光伝導アンテナ）または非線形光学結晶に対して、フェムト秒レーザから出射されたパルス光を照射することにより発生させることができる。また連続波のテラヘルツ波は、量子カスケードレーザ、共鳴トンネルダイオード、タンネットダイオード、単一走行キャリアフォトダイオード（UTC-PD）フォトミキサーなど、従来の構成を用いて発生させることができる。
【００３１】
透過波検出部２３は、電磁波照射部１３から放射された後、封入体９１および封入物９３を透過したテラヘルツ波を検出するように構成されている。検出素子としては、光伝導スイッチ、非線形光学結晶またはショットキーバリアダイオードを採用することができる。さらには、ボロメーターまたは焦電素子を採用することができる。
【００３２】
封入物検査装置１では、封入物９３に記録された第一情報コード９５を読み取るために、電磁波照射部１３から放射されたテラヘルツ波が照射される。電磁波照射部１３から放射されたテラヘルツ波は、封入体９１、封入物９３およびテーブル３１を透過した後、透過波検出部２３にて検出される。なお、電磁波照射部１３がテーブル３１の下面側からテラヘルツ波を放射することで、テーブル３１、封入体９１および封入物９３を透過したテラヘルツ波が、テーブル３１の上面側に配置された透過波検出部２３にて検出されるようにしてもよい。
【００３３】
なお、本実施形態では、透過波検出部２３は、検査対象物を透過したテラヘルツ波を検出するように構成されている。しかしながら、第一情報コード９５がテラヘルツ波を反射する特色インクで記録されている場合には、この第一情報コード９５で反射したテラヘルツ波が所要位置に配置された透過波検出部２３にて検出されるようにしてもよい。
【００３４】
テーブル３１の上面は、封入体９１が載置される載置面となっている。テーブル３１は、図示を省略するが、モータ３３の駆動により、水平方向および該水平方向に直交する鉛直方向の各方向に移動できるように構成されている。封入物検査装置１では、テーブル３１を水平方向に移動させることによって、封入体９１を水平面内において任意の位置に配置することができる。これにより、可視光照射部１１または電磁波照射部１３から放射された可視光またはテラヘルツ波を、封入体９１の任意の照射することができる。また、テーブル３１を鉛直方向に移動させることによって、可視光照射部１１または電磁波照射部１３と封入体９１との間の鉛直方向に関する距離を調整することができる。これにより、テラヘルツ波の焦点位置を、第一情報コード９５または第二情報コード９７が記録されている高さ位置に適宜合わせることができる。
【００３５】
可視光照射部１１または電磁波照射部１３は、可視光またはテラヘルツ波を直線状に放射する。そして制御部７０は、直線状に放射される可視光またはテラヘルツ波に直交する方向に沿って、テーブル３１を移動させことで、テーブル３１に載置された封入体９１に対してテラヘルツ波を走査させる。これにより、２次元方向に広がりを有する封入体９１に対して可視光またはテラヘルツ波が照射される。ただし、可視光またはテラヘルツ波の照射方法は、このようなものに限定されるものではなく、例えば点状に放射される可視光またはテラヘルツ波を、封入体９１に対して走査させることも考えられる。
【００３６】
また、可視光およびテラヘルツ波は、必ずしも封入体９１全体に照射する必要はない。つまり、テラヘルツ波については、少なくとも第一情報コード９５が記録されている部分を含む領域に照射されればよく、また、可視光については、少なくとも第二情報コード９７が記録されている部分を含む領域に照射されればよい。
【００３７】
なお、テーブル３１を移動せずに、例えば可視光照射部１１または電磁波照射部１３を移動させることによって、可視光またはテラヘルツ波を走査させるようにしてもよい。
【００３８】
制御部７０は、図示しないＣＰＵ、ＲＯＭおよびＲＡＭなどを備えた一般的なコンピュータとして構成されている。制御部７０は、可視光照射部１１、電磁波照射部１３、可視光検出部２１、透過波検出部２３、およびモータ３３に接続されており、ＣＰＵが所定のプログラムにしたがって動作することにより、これらの動作を制御する。
【００３９】
また、図１に示されるように、制御部７０には、文字認識部７１、バーコード認識部７２、比較部７３、ＲＩＰ部７４、印刷インターフェース７５およびページデータ編集部７６が接続されている。これらの機能は、制御部７０が備えるＣＰＵが所定のプログラムに従って動作することにより実現される機能であってもよいが、制御部７０とは別のコンピュータ上で実現される機能であってもよい。またこれらの機能の一部または全部が、ソフトウェア的に実現されるのではなく、専用回路などでハードウェア的に実現されてもよい。
【００４０】
文字認識部７１は、封入体９１に記録されている第二情報コード９７、または、封入物９３に記録されている第一情報コード９５に含まれる文字列を認識する。可視光検出部２１および透過波検出部２３が検出した可視光またはテラヘルツ波の検出結果は、ノイズ除去やＡＤ変換、コントラスト調整などが適宜行われることによって、画像データへと変換される。文字認識部７１は、この画像データに対してノイズ除去、エッジ検出、ベクトル化、パターン認識などの画像処理を適用することにより、画像データ（詳細には、画像データが表現する画像）に含まれる文字列を認識する。
【００４１】
可視光検出部２１による可視光の検出結果から生成された画像データ（以下、可視光画像データとも称する。）では、第二情報コード９７が周囲とは濃淡の異なるものとして現れる。文字認識部７１は、この濃淡の相違を抽出することによって、第二情報コード９７を構成する文字列を認識する。また、第一情報コード９５は、テラヘルツ波を吸収または反射する特色インクによって記録されている。このため、透過波検出部２３による透過テラヘルツ波の検出結果から生成された画像データ（以下、テラヘルツ波画像データとも称する。）が表す画像においては、第一情報コード９５は、周囲とはテラヘルツ波強度が異なるものとして検出される。文字認識部７１は、この相違を識別することにより、第一情報コード９５を読み取る。
【００４２】
バーコード認識部７２は、テラヘルツ波画像データに対してノイズ除去、エッジ検出、ベクトル化、パターン認識などの画像処理を適用して、テラヘルツ波画像データに含まれる、第一情報コード９５から、バーコード９５Ｂを認識する。
【００４３】
図１に示されるように、バーコード認識部７２はデータベース８１に接続されている。バーコード認識部７２は、テラヘルツ波画像データから認識されたバーコードを所定ルールにしたがってＩＤ情報に変換し、取得されたＩＤ情報をデータベース８１において照合する。
【００４４】
本実施形態では、宛先の異なる複数種の印刷物（封入物９３）が作製されるが、これらのデータが、データベース８１にあらかじめ登録および管理されている。具体的には、データベース８１においては、封入物９３毎に（１）宛先情報（宛名および住所など）、（２）ＩＤ情報（宛先毎に割り振られている識別情報）、（３）印刷すべき広告コンテンツの情報（以下、コンテンツ情報と称する。）および（４）コンテンツのページ数が、ＣＳＶ形式などの所定のフォーマットで記録されている。バーコード認識部７２は、データベース８１を参照することにより、読み取ったバーコード９５Ｂから取得されたＩＤ情報に対応する宛先情報を取得する。
【００４５】
比較部７３は、第二情報コード９７の示す封入物９３に関する情報と、第一情報コード９５が示す封入物９３に関する情報とを比較する。ここで、第二情報コード９７が示す封入物９３に関する情報とは、文字認識部７１によって可視光画像データから認識された宛先情報である。また、第一情報コード９５が示す封入物９３に関する情報とは、バーコード認識部７２によってテラヘルツ波画像データから認識されたバーコード９５Ｂに対応した宛先情報である。封入物検査装置１は、第二情報コード９７が示す宛先情報と、第一情報コード９５が示す宛先情報とを比較することにより、封入体９１に正しい封入物９３が封入されているか判定する。
【００４６】
ＲＩＰ部７４は、ラスターイメージプロセッサであり、印刷物である封入物９３について、印刷を行うために、印刷用のページデータをラスターイメージ（ビットマップ画像）に変換する。ページデータは、所定の電子文書フォーマット（例えば、米国アドビシステムズ社のＰＤＦ（Portable Document Format）など）で記述されたデータである。
【００４７】
より具体的には、封入体９１に関するページデータの場合、封入体９１表面に印刷すべき第二情報コード９７（ここでは、宛先情報）がページデータに記述される。なお、封入体９１に直接第二情報コード９７を印刷するのではなく、別の印刷部材に第二情報コード９７を印刷して、これを封入体に取り付ける場合も考えられるが、この場合は、印刷部材に合わせてページデータが用意される。また、封入物９３に関するページデータの場合、封入物９３として印刷すべきコンテンツのテキスト、線画または画像の情報（レイアウト情報、カラー情報などを含む）、および、第一情報コード９５がページデータに記述される。なお、封入物９３に関するページデータにおいては、第一情報コード９５のカラー情報として、特色インクが指定される。
【００４８】
印刷インターフェース７５は、制御部７０と印刷部８３とを接続する接続部であり、各種信号のやり取りを仲介する。具体的には、印刷インターフェース７５は、制御部７０からの印刷制御信号を印刷部８３に送信したり、印刷部８３の状態情報を受信したりする。印刷部８３は、ＲＩＰ部７４でラスターイメージ化された印刷データに基づき、封入体９１に第二情報コード９７を印刷する。また、印刷部８３は、所要の印刷用紙などにコンテンツおよび第一情報コード９５を印刷することによって、封入物９３を作製する。
【００４９】
印刷部８３は、封入体９１に第二情報コード９７を印刷する場合（または封入体９１に取り付けられる取付部材に第二情報コード９７を印刷する場合）、墨インクなどを用いて印刷を行う。また、印刷部８３は、封入物９３の印刷を行う場合、コンテンツ部分については、複数色（ＣＭＹＫまたはＲＧＢなど）のインクを用いてカラー印刷を行う。一方、第一情報コード９５については、ページデータにおいて特色インクが指定される。このため、印刷部８３は、特色インクを用いて印刷を行う。
【００５０】
ページデータ編集部７６は、上述のページデータを編集する機能を備えている。例えば、封入物９３を印刷するためのページデータを編集する場合、ページの所要位置にコンテンツおよびに第一情報コード９５のデータを埋め込む。また、ページデータ編集部７６は、封入体９１を印刷するためのページデータを編集する場合、ページの所要位置に第二情報コード９７のデータを埋め込む。また、図１に示されるように、ページデータ編集部７６はデータベース８１に接続されており、ページデータを編集するための各種データをデータベース８１から取得する。
【００５１】
図２は、封入物９３に関するページデータＰ１の一例を示す概念図である。図２に示されるページデータＰ１においては、中央部に配置されたコンテンツ印刷領域９３Ｃ、上端部に配置されたヘッダー部９３Ｈ、および、下端部に配置されたフッター部９３Ｆがそれぞれ定義されている。コンテンツ印刷領域９３Ｃには、印刷すべきコンテンツが配置されている。そして、ヘッダー部９３Ｈまたはフッター部９３Ｆには、第一情報コード９５が配置される。このようなページデータＰ１が、上述のＲＩＰ部７４によりラスターイメージ化された後、印刷部８３にて、所定の印刷用紙に印刷される。
【００５２】
なお、印刷部８３が、いわゆる枚葉印刷ではなく、輪転印刷を行うように構成されている場合、封入物９３に関するページデータは、例えば上下に連続する複数のページで構成される。すなわち、ページデータが表す各ページの連続部分では、前のページのフッター部９３Ｆと次のページのヘッダー部９３Ｈとが繋がった状態となる。
【００５３】
図３は、第一情報コード９５の一例を示す図である。図３に示される例では、第一情報コード９５は、バーコード９５Ｂとコンテンツ情報９５Ｃとで構成されている。
【００５４】
バーコード９５Ｂは、上述したように、宛先ごとに割り振られているＩＤ情報を示す識別子である。コンテンツ情報９５Ｃは、コンテンツ印刷領域９３Ｃに印刷されるコンテンツを示す情報であり、図３に示される例では、コンテンツ番号情報９５Ｎおよびページ数情報９５Ｐで構成されている。本実施形態では、印刷すべきコンテンツとして、複数種類のページデータが用意されており、各ページデータが番号（コンテンツ番号）で管理されている。例えば、図３に示されるように、コンテンツ番号情報９５Ｎとして、１、３、５および１０が指定されている場合、各番号に対応するページデータが印刷されることとなる。ページ数情報９５Ｐは、コンテンツのページ数であり、ここではコンテンツ番号の数量に一致している。
【００５５】
図４は、テラヘルツ波を吸収する特色インクのテラヘルツ波透過特性示す図である。図４中、横軸は周波数を示しており、縦軸は相対的な強度を示している。図４に示されるように、テラヘルツ波を吸収する特色インクを透過したときの透過スペクトル４１は、通常のインク材を透過したときの透過スペクトル４３に対して、強度が低下する。特に１ＴＨｚ程度のテラヘルツ波は、技術的にも容易で、かつ、比較的安価に発生させることができる。したがって、封入物検査装置１においては、第一情報コード９５を記録する特色インクとして、この周波数領域のテラヘルツ波を吸収するものが好適である。
【００５６】
＜１．２．  封入物の検査＞
次に封入物９３の検査の流れについて説明するが、まず、封入物検査装置１の検査対象となる封入体９１および封入物９３に関し、封入体９１に封入物９３が封入される流れについて説明する。
＜１．２．１．  封入物の封入＞
図５は、封入物９３が封入体９１に封入されるまでの流れ図である。なお、図５に示されるフローは一例である。したがって、一部の工程が並行して行われてもよいし、実行される順番が変更されてもよい。なお、以下の説明においは、封入体９１についても、内部に封入物９３が封入される前のものを指す場合があり、また、封入物９３が、封入体９１に封入される前のものを指す場合がある。
【００５７】
まず、封入物９３として印刷するコンテンツデータがページデータ編集部７６により取得される（ステップＳ１１）。具体的には、ページデータ編集部７６が、データベース８１にアクセスして、１つの宛先に対応したコンテンツ情報を取得をする。上述したように、コンテンツ情報においては、印刷すべきコンテンツがコンテンツ番号で指定されている。ページデータ編集部７６は、コンテンツ情報において指定されているコンテンツ番号に対応したコンテンツデータ（テキスト、線画または画像などで構成される）を、不図示の記憶装置（補助記憶装置など）から取得する。なお、このようなコンテンツデータは、データベース８１に保存されていてもよい。また、ページデータ編集部７６は、ステップＳ１１において取得したコンテンツ情報に対応する第一情報コード９５をデータベース８１から取得する（ステップＳ１２）。
【００５８】
ページデータ編集部７６は、取得したコンテンツデータを含むページデータに、第一情報コード９５を組み込むことで、封入物９３に関する１または複数ページに相当する、印刷用のページデータを作成する（ステップＳ１３）。なお、ステップＳ１３においては、コンテンツ情報に対応する宛先を封入体９１に印刷するためのページデータも作成される。また、第一情報コード９５については、印刷部８３において特色インクで印刷されるように、色指定が行われる（ステップＳ１４）。
【００５９】
ページデータ編集部７６により生成された封入体９１に関するページデータおよび封入物９３に関するページデータが、ＲＩＰ部７４によってラスターイメージ化される（ステップＳ１５）。そして、作成されたラスターイメージを印刷部８３が受け取り、封入体９１への宛先の印刷（ステップＳ１６）、および封入物９３印刷紙へのコンテンツ情報の印刷（ステップＳ１７）をそれぞれ実行する。なお、封入体９１の印刷および封入物９３の印刷は、個々に用意された別々の印刷装置で行われてもよい。印刷が完了すると、宛先が印刷された封入体９１に、コンテンツが印刷された封入物９３が封入される（ステップＳ１８）。この封入は不図示の封入装置により自動で行われてもよいし、または、オペレータの手作業によりおこなわれてもよい。
【００６０】
＜１．２．２．  封入物検査＞
次に、図６に示されるフローにしたがって封入物９３が封入された封入体９１を、封入物検査装置１により検査する方法について説明する。
【００６１】
図６は、封入物検査装置１による封入物検査の流れ図である。まず、封入物検査が開始されると、検査対象物である封入体９１がテーブル３１に設置される（ステップＳ２０）。そして、制御部７０は、可視光照射部１１およびモータ３３を駆動することにより、封入体９１に対して可視光を走査させる。この走査時においては、テーブル３１の高さ位置が調整されることによって、可視光の焦点が、封入体９１に記録されている第二情報コード９７（ここでは、宛先情報）の高さ位置に合わせられることが望ましい。また、第二情報コード９７の位置が定位置とされている場合には、その部分に限定して可視光が照射されるようにしてもよい。封入体９１にて反射した可視光が可視光検出部２１にて検出されることにより、可視光画像が取得される（ステップＳ２１）。
【００６２】
文字認識部７１は、ステップＳ２１にて取得された可視光画像から、第二情報コード９７を認識する認識処理を行う（ステップＳ２２）。これにより、第二情報コード９７が示す宛先情報が取得される（ステップＳ２３）。
【００６３】
次に、制御部７０は、モータ３３を駆動することによりステージを移動させて、封入体９１をテラヘルツ波の照射位置へ移動させる。さらに制御部７０は、電磁波照射部１３およびモータ３３を駆動することにより、封入体９１に対してテラヘルツ波を走査させる。この走査時においては、テラヘルツ波の焦点が、封入物９３に記録されている第一情報コード９５の高さ位置に合わせられていることが望ましい。また、第一情報コード９５の位置が定位置とされている場合には、その部分に限定してテラヘルツ波が照射されるようにしてもよい。封入体９１および封入物９３を透過したテラヘルツ波が透過波検出部２３にて検出されることにより、テラヘルツ波画像が取得される（ステップＳ２４）。
【００６４】
バーコード認識部７２は、ステップＳ２４にて取得されたテラヘルツ波画像から、バーコード９５Ｂを認識する（ステップＳ２５）。また、バーコード認識部７２は、該バーコード９５Ｂが示すＩＤ情報をデータベース８１にて照合することにより、ＩＤ情報に対応した宛先情報およびコンテンツ情報を取得する（ステップＳ２６）。
【００６５】
次に比較部７３は、ステップＳ２３にて取得された宛先情報と、ステップＳ２６にて取得された宛先情報とを比較する（ステップＳ２７）。それぞれの宛先情報が一致する場合には（ステップＳ２７においてＹＥＳ）、正しい封入物９３が封入体９１に封入されている旨が、モニター、プリンター、ランプまたはスピーカーなどを介してオペレータに通知される（ステップＳ２８）。一致しない場合には（ステップＳ２７においてＮＯ）、誤った封入物９３が封入体９１に封入されている旨が通知される（ステップＳ２９）。
【００６６】
なお、ステップＳ２８、Ｓ２９において、第二情報コード９７に基づく宛先情報と共にコンテンツ情報をモニターに表示することで、オペレータが封入物９３のコンテンツ内容を特定することができる。また、第一情報コード９５に基づく宛先情報およびなどがモニターに表示されるようにすれば、オペレータが封入体９１に印刷された宛先などを具体的に把握したりすることができる。
【００６７】
＜１．３．  効果＞
封入体９１が不透明な素材で形成されている場合、封入体９１に封入された封入物９３の内容を外側から特定することは困難である。しかしながら、封入物９３に、テラヘルツ波を吸収または反射する特色インクで第一情報コード９５が記録することによって、封入物検査装置１により第一情報コード９５の読み取りが可能となる。第二情報コード９７は、ＩＤ情報を示す識別子となっているので、データベース８１を参照することで、宛先情報およびコンテンツ情報を取得することができる。したがって、封入物検査装置１によれば、封入物９３の内容を、封入体９１に対して非接触かつ非開封で特定することができる。
【００６８】
また、封入物検査装置１は、封入体９１に記録されている第二情報コード９７が示す宛先情報と、封入物９３に記録された第一情報コード９５が示す宛先情報とを比較することにより、封入体９１に正しい封入物９３が封入されているか検査することができる。これにより、誤封入を非接触かつ非開封で検出することができる。また、本検査の場合、封入体９１として、個人情報の漏洩のおそれの少ない不透明な封筒を採用することができる。
【００６９】
＜２．  第２実施形態＞
第１実施形態では、図５に示されるように、封入体９１へ宛先情報である第二情報コード９７を印刷が、封入物９３の封入前に行われている。しかしながら、封入物９３の封入後に、第二情報コード９７を封入体９１へ記録するようにしてもよい。
【００７０】
図７は、第２実施形態に係る封入体９１への第二情報コード９７の記録の流れ図である。なお、以下においては、コンテンツ、および、第一情報コード９５がそれぞれ印刷された封入物９３が、すでに封入体９１に封入されているものとする。
【００７１】
図７に示されるように、テラヘルツ波画像の取得（ステップＳ３１）、第一情報コード９５の認識処理（ステップＳ３２）および宛先情報およびコンテンツ情報の取得（ステップＳ３３）が順次実行される。なお、これらの工程は、図６に示されるステップＳ２４〜Ｓ２６とほぼ同様である。
【００７２】
ステップＳ３３において宛先情報が取得されると、制御部７０は、該宛先情報を第二情報コード９７として封入体９１に印刷する（ステップＳ３４）。具体的には、ページデータ編集部７６が、ステップＳ３３にて取得された宛先情報が埋め込まれた封入体９１に関するページデータを作成する。そして制御部７０は、印刷インターフェース７５を介して、該ページデータを印刷部８３に送信し、該印刷部８３にて封入体９１の印刷を行わせる。なお、テーブル３１から印刷部８３への移動は、オペレータの手作業で行われてもよいし、図示しない搬送機構によって行われてもよい。また、テーブル３１上において印刷が実行されるように、テーブル３１および印刷部８３が一体とされることも考えられる。
【００７３】
本実施形態によると、封入体９１に印刷される情報（宛先情報）が、封入物９３に記録されている第二情報コード９７に基づくものとなっている。このため、宛先が間違って印刷されることを確実に抑制することができる。
【００７４】
＜３．  変形例＞
以上、実施形態について説明してきたが、本発明は上記のようなものに限定されるものではなく、様々な変形が可能である。
【００７５】
例えば、上記実施形態では、一旦、テラヘルツ波画像から読み取られた第一情報コード９５がＩＤ情報に変換され、このＩＤ情報に対応する宛先情報がデータベース８１から取得される。そして、可視光画像から読み取られた第二情報コード９７（宛先情報）と、第二情報コード９７が示す宛先情報とが一致するか比較される。しかしながら、例えば第二情報コード９７が、ＩＤ情報、もしくは、ＩＤ情報を示すバーコードを含んでいてもよい。この場合、第二情報コード９７が示すＩＤ情報と、第二情報コードが示すＩＤ情報とを比較することができるため、検査処理の効率化を図ることができる。
【００７６】
また、上記実施形態では、ダイレクトメールなどのいわゆるバリアブル印刷が行われる場合について主に説明したが、封入物検査装置１は、このようなバリアブル印刷物の検査に限定されるものではない。例えば、薬局などにおいて薬剤師から患者に渡される医薬品などが封入物９３となるケースも考えられる。封入物に、患者に関する識別情報を特色インクで記録すれば、袋体にいれられた状態で、封入物９３をチェックすることができる。これにより、医薬品の渡し間違いを減らすことができる。また、袋体に患者に関する情報を記録しておけば、袋体に記録された情報と封入物に記録された情報とが比較されることで、誤封入を抑えることができる。
【００７７】
さらに、上記各実施形態及び各変形例で説明した各構成は、相互に矛盾しない限り適宜組み合わせることができる。
【符号の説明】
【００７８】
１  封入物検査装置
１１  可視光照射部
１１  電磁波照射部
１３  電磁波照射部
２１  可視光検出部
２３  透過波検出部
３１  テーブル
３３  モータ
４１  透過スペクトル
４３  透過スペクトル
７０  制御部
７１  文字認識部
７２  バーコード認識部
７３  比較部
７４  ＲＩＰ部
７５  印刷インターフェース
７６  ページデータ編集部
８１  データベース
８３  印刷部
９１  封入体
９３  封入物
９３Ｃ  コンテンツ印刷領域
９３Ｆ  フッター部
９３Ｈ  ヘッダー部
９５  第一情報コード
９５Ｂ  バーコード
９５Ｃ  コンテンツ情報
９５Ｎ  コンテンツ番号情報
９５Ｐ  ページ数情報
９７  第二情報コード
Ｐ１  ページデータ 
【図１】
2013186104.tif 000003
【図２】
2013186104.tif 000004
【図３】
2013186104.tif 000005
【図４】
2013186104.tif 000006
【図５】
2013186104.tif 000007
【図６】
2013186104.tif 000008
【図７】
2013186104.tif 000009